(57)【特許請求の範囲】
【請求項１】
温度と周波数とに基づいて定まる補正値を用いて送受信回路のゲインを補正するゲイン補正方法において、
特定の温度Ｔｋにおける周波数帯のステップ毎の周波数に対する補正値Ｋ（ｉ）と、周波数帯の中心周波数において温度を変化させたときの補正値の変化係数Ａとを記憶し、
周波数情報に基づいて、０から前記周波数帯のステップ数までの整数値ｉを特定し、
現在の温度Ｔｘにおける補正値Ｐｘ（ｉ）を、
Ｐｘ（ｉ）＝Ｋ（ｉ＋Ａ［Ｔｋ−Ｔｘ］）を計算することによって求めることを特徴とするゲイン補正方法。
【請求項２】
前記変化係数Ａと、
前記特定の温度Ｔｋと前記現在の温度Ｔｘとの差分と
の積であるＡ［Ｔｋ−Ｔｘ］が整数値であることを特徴とする請求項１に記載のゲイン補正方法。
【請求項３】
前記特定の温度Ｔｋを２５度付近の常温とすることを特徴とする請求項１に記載のゲイン補正方法。
【請求項４】
現在の温度Ｔｘを検出する温度検出部と、
特定の温度Ｔｋにおける周波数帯のステップ毎の周波数に対する補正値Ｋ（ｉ）と、周波数帯の中心周波数において温度を変化させたときの補正値の変化係数Ａとを記憶する記憶手段と、
周波数情報に基づいて、０から前記周波数帯のステップ数までの整数値ｉを特定し、現在の温度Ｔｘにおける補正値Ｐｘ（ｉ）を、
Ｐｘ（ｉ）＝Ｋ（ｉ＋Ａ［Ｔｋ−Ｔｘ］）を計算することによって求める演算実行手段と、
補正値Ｐｘ（ｉ）にしたがって送受信回路のゲインを補正するゲイン設定部とを具備することを特徴とする携帯無線端末。
【請求項５】
前記変化係数Ａと、
前記特定の温度Ｔｋと前記現在の温度Ｔｘとの差分と
の積であるＡ［Ｔｋ−Ｔｘ］が整数値であることを特徴とする請求項４に記載の携帯無線端末。
【請求項６】
前記特定の温度Ｔｋを２５度付近の常温とすることを特徴とする請求項４に記載の携帯無線端末。
【発明の詳細な説明】
【０００１】
【発明の属する技術分野】
本発明は携帯無線端末と、その送受信回路のゲイン補正方法に関する。
【０００２】
【従来の技術】
温度と周波数の情報に対するゲイン補正値をＲＯＭに記憶させ、その内容を用いて送受信信号のゲインの補正を行う方法としては、特開昭６３−１３６７０４号公報に記載されるような方法が用いられてきた。
【０００３】
【発明が解決しようとする課題】
しかしながら、温度情報と周波数帯域内の偏差とに基づいてゲイン補正を行うためには、温度ステップ数と周波数帯域ステップ数とを掛け合わせた数のパラメータ用データを必要とし、これらのデータを記憶しておくためのメモリ容量を有するＲＯＭを備える必要がある。このようなＲＯＭを携帯無線端末に設けることは、端末本体の小型化が進んでいる現在、困難なことであると考えられる。
本発明は、上記事情に鑑みてなされたもので、パラメータ用データの量を増大させることなく、温度情報と周波数帯域内の偏差とに基づいてゲイン補正を行うことができる携帯無線端末とその送受信回路のゲイン補正方法を提供することを目的とする。
【０００４】
【課題を解決するための手段】
本発明は上記目的を達成するために、特定の温度Ｔｋにおける周波数帯のステップ毎の周波数に対する補正値Ｋ（ｉ）と、周波数帯の中心周波数において温度を変化させたときの補正値の変化係数Ａとを記憶し、周波数情報に基づいて、０から周波数帯のステップ数までの整数値ｉを特定し、現在の温度Ｔｘにおける補正値Ｐｘ（ｉ）を、Ｐｘ（ｉ）＝Ｋ（ｉ＋Ａ［Ｔｋ−Ｔｘ］）を計算することによって求めることを特徴とするゲイン補正方法を提案する。このとき、変化係数Ａと、特定の温度Ｔｋと現在の温度Ｔｘとの差分の積Ａ［Ｔｋ−Ｔｘ］は整数値である。さらに、特定の温度Ｔｋを２５度付近の常温とする。
【０００５】
また、本発明によると、現在の温度Ｔｘを検出する温度検出部と、特定の温度Ｔｋにおける周波数帯のステップ毎の周波数に対する補正値Ｋ（ｉ）と、周波数帯の中心周波数において温度を変化させたときの補正値の変化係数Ａとを記憶する記憶手段と、周波数情報に基づいて、０から前記周波数帯のステップ数までの整数値ｉを特定し、現在の温度Ｔｘにおける補正値Ｐｘ（ｉ）を、Ｐｘ（ｉ）＝Ｋ（ｉ＋Ａ［Ｔｋ−Ｔｘ］）を計算することによって求める演算実行手段と、補正値Ｐｘ（ｉ）にしたがって送受信回路のゲインを補正するゲイン設定部とを具備すること特徴とする携帯無線端末を提案できる。このとき、変化係数Ａと、特定の温度Ｔｋと現在の温度Ｔｘとの差分の積Ａ［Ｔｋ−Ｔｘ］は整数値である。さらに、特定の温度Ｔｋを２５度付近の常温とする。
【０００６】
【発明の実施の形態】
次に、図１〜２及び表１を参照して本発明による携帯無線端末とその送受信回路ゲイン補正方法を詳細に説明する。
図１は周波数帯域におけるゲインの変移を表す図であり、図２は本発明による携帯無線端末全体を示すブロック図である。また、表１は本発明を採用した場合の温度データ、周波数データ、ゲイン補正値の対応表である。
【０００７】
図１に示す曲線１は温度２５度におけるゲインの変移を表しており、同様に曲線２は温度１５度におけるゲインの変移を、曲線３は温度５度におけるゲインの変移を表している。図１中の、温度２５度における周波数ｆａのときのゲインは、温度５度における周波数（ｆａ−Δｆ）のときのゲインと等しい。また、温度２５度における周波数ｆｂのときのゲインは、温度５度における周波数（ｆｂ−Δｆ）のときのゲインと等しい。
【０００８】
これらの結果を基に分析したところ、温度変化に対する周波数帯域内のゲインの変化は、使用する部品の特性から中心周波数のズレが支配的であり、ある一定方向に周波数特性がずれることが明らかになった。さらに、前記特性のずれは、温度が極めて高い場合や温度が極めて低い場合に大きくずれることも明らかになった。そして、特定の温度Ｔｋにおいて周波数を増加させたときのゲイン補正値Ｋ（ｉ）と、中心周波数（周波数帯域が１４２９ＭＨｚから１４５３ＭＨｚならば１４４１ＭＨｚ）において温度を変化させたときのゲイン補正値の変化係数Ａとを用いて、温度をＴｘに変化させたときのゲイン補正値Ｐｘ（ｉ）を算出できることがわかった。以下にゲイン補正値の算出式を示す。
【０００９】
Ｐｘ（ｉ）＝Ｋ（ｉ＋Ａ［Ｔｋ−Ｔｘ］）          （数１）
ただし、ゲイン補正値Ｋ（ｉ）をもとめたときの周波数帯域内のステップ数はｎであり、ｉは０からｎまでの整数である。また、特定の温度Ｔｋは通常、常温の２５度である。
【００１０】
ここで本発明では、この算出式を成立させるため、ゲイン補正値の変化係数Ａと、温度Ｔｋと温度Ｔｘとの差分の積が整数になるように温度Ｔｘを設定しなければならない。例えば、ゲイン補正値の変化係数Ａが０．１の場合には、温度Ｔｋと温度Ｔｘとの差分は１０の倍数でなければならないのである。
よって、温度Ｔｋが２５度の場合、温度Ｔｘは１５度、５度、−５度、−１５度といった値で設定されなければならない。周波数帯域が１４２９ＭＨｚから１４５３ＭＨｚであり、ステップ数を１２としたときのゲイン補正値をＫ（ｉ）とし、温度Ｔｘが１５度のときのゲイン補正値をもとめてみる。すると、ゲイン補正値Ｐｘ（０）の値はＫ（０＋０．１×１０）すなわちＫ（１）と等しくなると算出される。すなわち、温度１５度における周波数１４２９ＭＨｚのときのゲイン補正値Ｐｘ（０）は、温度２５度における周波数１４３１ＭＨｚのときのゲイン補正値Ｋ（１）と等しくなる。
【００１１】
図２に示す携帯無線端末は、この携帯無線端末全体を制御するＣＰＵ２を有し、ＣＰＵ２は内部にゲイン設定部１４を有し、温度検出部１２及び周波数設定部１３と接続している。また、このＣＰＵ２には、送受信回路１、ＬＣＤドライバ３、キー６、ＲＡＭ７、ＲＯＭ８及び音声処理部９が接続される。ＬＣＤドライバ３はフォントＲＯＭ５を有し、ＣＰＵ２から受け取った情報をＬＣＤ４に表示させる。また、音声処理部はマイクスピーカ１０と、マイク１１とを有している。ここで、キー６は留守キー、再生キー、登録キー、＊キー、テンキー等を有し、各種の情報を表示する。
【００１２】
ＲＯＭ８には携帯無線端末本体の動作手順を書きこんだプログラムがインストールされており、このプログラムに従いＣＰＵ２が携帯無線端末全体を制御している。加えてＲＯＭ８には、特定の温度（通常は常温の約２５度）において周波数を変化させたときのゲイン補正値Ｋ（ｉ）と、周波数帯域の中心周波数において、温度を変化させたときのゲイン補正値の変化係数Ａとが記憶されている。
ここで、表１に温度（縦軸）と周波数（横軸）とをパラメータにした場合のゲイン補正値を示す。温度Ｔｋは特定の温度（通常は常温の２５度）を示し、Ｋ（ｉ）（ｉは０からステップ数ｎ）は、ＲＯＭ８（図２）に記憶されているゲイン補正値Ｋ（ｉ）を示している。
【００１３】
【表１】
0003593284.tif 000002
【００１４】
ＣＰＵ２は、周波数設定部１３から得た周波数情報に基づき、ゲイン補正値Ｋ（ｉ）のｉの値を特定する。次に、ｉの値、特定の温度Ｔｋ（通常２５度）、温度検出部１２から得た温度情報、変化係数Ａ、それぞれの数値を算出式（数１）に代入し、ゲイン補正値Ｐｘ（ｎ）を算出する。ゲイン補正値Ｐｘ（ｎ）を算出した後、ゲイン設定部１４は、送受信回路１に対してゲイン補正のための制御を行う。又、本発明のゲイン補正は、温度変化がある程度ある時に行われるものであり、頻繁に行われず、周波数特性のずれが大きく見られる特定温度に対して補正値テーブルを記憶させていることは言うまでもない。
なお、上記実施例では携帯無線端末の送受信回路に対してゲインの補正を行う方法を説明したが、本発明によるゲイン補正方法は携帯無線端末の送受信回路に限られたものではなく、送受信部を有するその他の通信装置にも適用することが可能であることは明らかである。
【００１５】
【発明の効果】
このように本発明によると、パラメータ用データの量を増大させることなく、温度情報と周波数帯域内の偏差とに基づいて精度の高いゲイン補正を行うことができる携帯無線端末とその送受信回路ゲイン補正方法を提供することができる。
【図面の簡単な説明】
【図１】周波数帯域におけるゲインの変移を表す図。
【図２】本発明に係わる携帯無線端末の機能ブロック図。
【符号の説明】
８：ＲＯＭ
１２：温度検出部
１４：ゲイン設定部
【図１】
0003593284.tif 000003
【図２】
0003593284.tif 000004